(57)【要約】      （修正有）【課題】レジの使用、不使用時に簡単な操作で最適な状態で商品を陳列できるようにして、お客さんの動線に合わせた商品販売が可能な商品陳列棚および商品陳列棚用ウイング什器を得るにある。【解決手段】レジの横等に設置することができる商品陳列棚本体と、この商品陳列棚本体の少なくとも一方の側面の後方の支柱に後端部が着脱可能に取付けることができる固定フレーム１１と、この固定フレーム１１の上下バー部材の先端部より前方へスライド移動可能に出没する一対のスライドバーと、この一対のスライドバーの先端部に先端部が水平方向に回動可能になるように後端部が枢支されたウイング陳列棚支持金具２０と、このウイング陳列棚支持金具２０に取付けられたウイング陳列棚２４とで商品陳列棚を構成している。【選択図】  図１
2006115962.tif 000002
【特許請求の範囲】
【請求項１】
レジの横等に設置することができる商品陳列棚本体と、この商品陳列棚本体の少なくとも一方の側面の後方の支柱に後端部が着脱可能に取付けることができる固定フレームと、この固定フレームの上下バー部材の先端部より前方へスライド移動可能に出没する一対のスライドバーと、この一対のスライドバーの先端部に先端部が水平方向に回動可能になるように後端部が枢支されたウイング陳列棚支持金具と、このウイング陳列棚支持金具に取付けられたウイング陳列棚とからなることを特徴とする商品陳列棚。
【請求項２】
レジの横等に設置することができる商品陳列棚本体と、この商品陳列棚本体の少なくとも一方の側面の後方の支柱に後端部が着脱可能に取付けることができる、上下移動可能な取付け金具を備えるコ字状の固定フレームと、この固定フレームの上下バー部材の先端部より前方へスライド移動可能に出没する一対のスライドバーと、この一対のスライドバーの先端部に先端部が水平方向に回動可能になるように後端部が枢支されたコ字状の支持金具、このコ字状の支持金具の後端部寄りの部位に一端部が枢支され、他端部が前記固定フレームの後端部に枢支された、前記一対のスライドバーの移動量を規制するコ字状の移動規制支持金具とからなるウイング陳列棚支持金具と、このウイング陳列棚支持金具のコ字状の支持金具に取付けられたキャスターを有する伸縮調整可能な脚部材を備えるウイング陳列棚とからなることを特徴とする商品陳列棚。
【請求項３】
レジの横等に設置された商品陳列棚の少なくとも一方の側面の後方の支柱に後端部が着脱可能に取付けることができる固定フレームと、この固定フレームの上下バー部材の先端部より前方へスライド移動可能に出没する一対のスライドバーと、この一対のスライドバーの先端部に先端部が水平方向に回動可能になるように後端部が枢支されたウイング陳列棚支持金具と、このウイング陳列棚支持金具に取付けられたウイング陳列棚とからなる商品陳列棚用ウイング什器。
【発明の詳細な説明】
【技術分野】
【０００１】
本発明は、スーパーマーケット等のレジの横等に設置して使用される商品陳列棚および商品陳列棚用ウイング什器に関する。
【背景技術】
【０００２】
従来のレジの横等に設置される商品陳列棚は商品陳列棚本体と、この商品陳列棚本体の両側面に取付けられた、商品陳列用の左右のゴンドラとで構成されている。
【０００３】
このように構成された商品陳列棚はレジを使用している場合には、正面と両側面に商品が陳列されているため、お客さんの動線に合わせた商品販売が可能となるが、レジを使用していない場合には左右のゴンドラが商品陳列棚本体の両側面に位置しているため、該部位の商品が見ずらく、お客さんの動線に合わせた商品の陳列にならないという欠点があった。
【特許文献１】特になし
【発明の開示】
【発明が解決しようとする課題】
【０００４】
本発明は以上のような従来の欠点に鑑み、レジの使用、不使用時に簡単な操作で最適な状態で商品を陳列できるようにして、お客さんの動線に合わせた商品販売が可能な商品陳列棚および商品陳列棚用ウイング什器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はレジの横等に設置することができる商品陳列棚本体と、この商品陳列棚本体の少なくとも一方の側面の後方の支柱に後端部が着脱可能に取付けることができる固定フレームと、この固定フレームの上下バー部材の先端部より前方へスライド移動可能に出没する一対のスライドバーと、この一対のスライドバーの先端部に先端部が水平方向に回動可能になるように後端部が枢支されたウイング陳列棚支持金具と、このウイング陳列棚支持金具に取付けられたウイング陳列棚とで商品陳列棚を構成している。
【０００７】
また、本発明はレジの横等に設置された商品陳列棚の少なくとも一方の側面の後方の支柱に後端部が着脱可能に取付けることができる固定フレームと、この固定フレームの上下バー部材の先端部より前方へスライド移動可能に出没する一対のスライドバーと、この一対のスライドバーの先端部に先端部が水平方向に回動可能になるように後端部が枢支されたウイング陳列棚支持金具と、このウイング陳列棚支持金具に取付けられたウイング陳列棚とで商品陳列棚用ウイング什器を構成している。
【発明の効果】
【０００８】
以下の説明から明らかなように、本発明にあっては次に列挙する効果が得られる。
【０００９】
（１）レジの横等に設置することができる商品陳列棚本体と、この商品陳列棚本体の少なくとも一方の側面の後方の支柱に後端部が着脱可能に取付けることができる固定フレームと、この固定フレームの上下バー部材の先端部より前方へスライド移動可能に出没する一対のスライドバーと、この一対のスライドバーの先端部に先端部が水平方向に回動可能になるように後端部が枢支されたウイング陳列棚支持金具と、このウイング陳列棚支持金具に取付けられたウイング陳列棚とで構成されているので、ウイング陳列棚を使用状態に応じて回動させることにより、お客さんの動線に合わせた商品販売ができるように使用することができる。
したがって、効率のよい商品の陳列販売ができる。
【００１０】
（２）前記（１）によって、ウイング陳列棚の回動および一対のスライドバーのスライド移動で、最適な状態に位置させることができるので、操作が容易で、短時間に変更することができる。
【００１１】
（３）前記（１）によって、ウイング陳列棚と商品陳列棚とは固定フレーム、一対のスライドバー、ウイング陳列棚支持金具を介して取付けられているので、バラバラになることなく、整理整頓状態で使用することができる。
【００１２】
（４）前記（１）によって、一対のスライドバーの移動によって、商品陳列棚本体とほぼ同一面となるように、ウイング陳列棚を位置させることができるとともに、商品陳列棚本体の側面の後方と、ウイング陳列棚の収納状態の後方が一致するように配置でき、いずれの位置でも最適状態にウイング陳列棚を位置させて使用することができる。
【００１３】
（５）請求項２も前記（１）〜（４）と同様な効果が得られるとともに、自動的にいずれの位置でも最適状態にウイング陳列棚を位置させることができ、より楽に使用することができる。
【００１４】
（６）請求項３も前記（１）〜（４）と同様な効果が得られる。
【発明を実施するための最良の形態】
【００１５】
以下、図面に示す本発明を実施するための最良の形態により、本発明を詳細に説明する。
【００１６】
図１ないし図９に示す本発明を実施するための最良の第１の形態において、１はレジ横等に設置して、レジの使用状態に応じてお客さんの動線に合わせた商品の陳列販売が可能に回動移動させることができる本発明の商品陳列棚で、この商品陳列棚１は底面に移動用のキャスター２、２、２、２が取付けられたベース板３、このベース板３の後方部位に下端部が取付けられた背面板４、この背面板４の両端部および、前記ベース板３の両端部に下端部が取付けられた複数枚の棚板５、５、５を支持することができる両側枠６、６とからなる可動式商品陳列棚本体７と、この可動式商品陳列棚本体７の少なくとも一方の側面の側枠６に取付けられた商品陳列棚用ウイング什器８とで構成されている。
【００１７】
前記商品陳列棚用ウイング什器８は、前記商品陳列棚本体７の一方の側枠６の後方の支柱９に、後端部が着脱可能に取付けることができる上下移動可能な取付金具１０、１０を備えるコ字状のパイプ材を用いた固定フレーム１１と、この固定フレーム１１の上下バー部材１１ａ、１１ａの先端部より前方へ、該上下バー部材１１ａ、１１ａ内に収納された付勢スプリング１２、１２で突出するようにスライド移動可能に出没する一対のスライドバー１３、１３と、この一対のスライドバー１３、１３の先端部に、先端部が水平方向に回動可能になるように後端部を枢支ピン１４、１４で枢支された先端部に取付金具１５、１５を設けたコ字状の支持金具１６、このコ字状の支持金具１６の後端部寄りの部位に一端部が枢支ピン１７、１７で枢支され、他端部が前記固定フレーム１１の後端部に枢支金具１８、１８で枢支された、前記一対のスライドバー１３、１３の移動量を規制するコ字状の移動規制支持金具１９とからなるウイング陳列棚支持金具２０と、このウイング陳列棚支持金具２０のコ字状の支持金具１６に設けられた取付金具１５、１５によって取付けられるキャスター２１、２１を有する伸縮調整可能な脚部材２２を備える複数個の商品収納カゴ２３が取付けられるウイング陳列棚２４とで構成されている。
【００１８】
上記構成の商品陳列棚１は、商品陳列棚用ウイング什器８をレジが休止している場合には回動させ、前方へ位置させる。オープン時にはウイング陳列棚支持金具２０の移動によって、図１および図４に示すようにウイング陳列棚２４を商品陳列棚本体７の前面とほぼ同一面となるように位置させることができる。このオープン状態では移動規制支持金具１９がウイング陳列棚２４の回動を阻止するストッパーがわりとなる。
レジを使用するクローズ時の場合には、商品陳列棚用ウイング什器８を商品陳列棚本体７の側枠６に当接するように回動移動させることにより、図８および図９に示すように商品陳列棚本体７の側枠６の後部支柱９と商品陳列棚用ウイング什器８のウイング陳列棚２４の遊端部とがほぼ同一面に位置し、商品陳列棚本体７の前方よりも前方が後方に位置した位置に配置することができる。
なお、商品陳列棚用ウイング什器８の回動は、一対のスライドバー１３、１３を常時付勢している付勢スプリング１２、１２によって、よりスムーズに行なうことができる。
［発明を実施するための異なる形態］
【００１９】
次に、図１０ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１０ないし図１２に示す本発明を実施するための第２の形態において、前記本発明を実施するための最良の第１の形態と主に異なる点は、コ字状の支持金具１６にボルト２５、ナット２６でウイング陳列棚２４の両側のフレーム２４ａ、２４ａを取付けた点で、このように構成した商品陳列棚用ウイング什器８Ａを用いた商品陳列棚１Ａにしても、前記本発明を実施するための最良の第１の形態と同様な作用効果が得られる。
【００２１】
図１３ないし図１５に示す本発明を実施するための第３の形態において、前記本発明を実施するための最良の第１の形態と主に異なる点は、一対のスライドバー１３、１３を固定フレーム１１の上下バー部材１１ａ、１１ａにクリック状態で出没させることができるクリック機構２７、２７を用い、コ字状の支持金具１６だけを使用するウイング陳列棚支持金具２０Ａを用いた点で、このように構成した商品陳列棚用ウイング什器８Ｂを用いた商品陳列棚１Ｂにしても、前記本発明を実施するための最良の第１の形態と同様なオープン状態とクローズ状態にできるが、一対のスライドバー１３、１３の出没操作が必要となる。
【産業上の利用可能性】
【００２２】
本発明は商品陳列棚および商品陳列棚用ウイング什器を製造する産業で利用される。
【図面の簡単な説明】
【００２３】
【図１】本発明を実施するための最良の第１の形態の平面図。
【図２】本発明を実施するための最良の第１の形態の正面図。
【図３】本発明を実施するための最良の第１の形態の側面図。
【図４】本発明を実施するための最良の第１の形態の商品陳列棚用ウイング什器の平面図。
【図５】本発明を実施するための最良の第１の形態の商品陳列棚用ウイング什器の正面図。
【図６】本発明を実施するための最良の第１の形態の商品陳列棚用ウイング什器の側面図。
【図７】本発明を実施するための最良の第１の形態のスライドバーの取付状態の説明図。
【図８】本発明を実施するための最良の第１の形態のクローズ状態の平面図。
【図９】本発明を実施するための最良の第１の形態のクローズ状態の商品陳列棚用ウイング什器の平面図。
【図１０】本発明を実施するための第２の形態の平面図。
【図１１】本発明を実施するための第２の形態の商品陳列棚用ウイング什器の平面図。
【図１２】本発明を実施するための第２の形態の商品陳列棚用ウイング什器の背面図。
【図１３】本発明を実施するための第３の形態の平面図。
【図１４】本発明を実施するための第３の形態のクローズ状態の商品陳列棚用ウイング什器の平面図。
【図１５】本発明を実施するための第３の形態のクリック機構の説明図。
【符号の説明】
【００２４】
１、１Ａ、１Ｂ：商品陳列棚、        ２：キャスター、
３：ベース板、                      ４：背面板、
５：棚板、                          ６：側枠、
７：可動式商品陳列棚本体、          
８、８Ａ、８Ｂ：商品陳列棚用ウイング什器、
９：支柱、                          １０：取付金具、
１１：固定フレーム、                １２：付勢スプリング、
１３：スライドバー、                １４：枢支ピン、
１５：取付金具、                    １６：コ字状の支持金具、
１７：枢支ピン、                    １８：枢支金具、
１９：移動規制支持金具、                  
２０、２０Ａ：ウイング陳列棚支持金具、
２１：キャスター、                        ２２：脚部材、
２３：商品収納カゴ、                ２４：ウイング陳列棚、
２５：ボルト、                      ２６：ナット、
２７：クリック機構。
【図１】
2006115962.tif 000003
【図２】
2006115962.tif 000004
【図３】
2006115962.tif 000005
【図４】
2006115962.tif 000006
【図５】
2006115962.tif 000007
【図６】
2006115962.tif 000008
【図７】
2006115962.tif 000009
【図８】
2006115962.tif 000010
【図９】
2006115962.tif 000011
【図１０】
2006115962.tif 000012
【図１１】
2006115962.tif 000013
【図１２】
2006115962.tif 000014
【図１３】
2006115962.tif 000015
【図１４】
2006115962.tif 000016
【図１５】
2006115962.tif 000017